(57)【要約】      （修正有）【課題】カールコードが、相対して回動可能な接続ユニットと回転部材を介して連結物と接続され、連結物を使用後元の場所に戻して置く際、カールコードがねじれたりすると、カールコードの内応力が接続ユニットを回転部材に対して回動させ、カールコードに元の正常な状態を回復させる、カールコードの取り付け具の提供。【解決手段】カールコード、接続ユニット、回転部材から構成され、接続ユニットの一端は略筒型体を呈し、この筒型体の内側面に複数の環状突起を設け、カールコードに接合し、別の一端に突出部を連続して設け、その上端に中心軸孔を形成し、突出部の底部に環状凹み槽を形成して回転部材をこの突出部の周囲に被せるように設置すると共に、回転部材の底面には位置決め突起を設け、下端には嵌合部を成型して設け、上端には連結物を接続し、嵌合部と環状凹み槽を対応させて嵌合し、相対する回動を可能にする。【選択図】図３
0003111257.tif 000002
【実用新案登録請求の範囲】
【請求項１】
カールコード、接続ユニット、回転部材から構成され、そのうち、該カールコードはプラスチック成型の螺旋状巻き体であり、該接続ユニットはその一端が該カールコードと接合され、別の一端に突出部を連続して設け、該突出部の底部に環状凹み槽を形成し、該回転部材を該突出部の周囲に被せるように設置すると共に、該回転部材の下端に嵌合部を成型して設け、上端に連結物を接続し、該嵌合部と該環状凹み槽を対応させて嵌合し、相対して回動することができることを特徴とするカールコードの取り付け具。
【請求項２】
前記突出部の先端に中心軸孔を設け、回転部材底面に位置決め突起を形成し、該回転部材と接続ユニットを連結すると、該位置決め突起が該中心軸孔に穿入され枢設されることを特徴とする請求項１に記載のカールコードの取り付け具。
【請求項３】
前記接続ユニットとカールコードの連結端が略筒型体を呈し、該筒型体内に複数の環状突起を設け、カールコードの先端を該筒型体内に押し入れ、該環状突起と密着させ該接続ユニットに固定する請求項１に記載のカールコードの取り付け具。
【考案の詳細な説明】
【技術分野】
【０００１】
本考案はカールコードの取り付け具に関し、詳細には、カールコードとその先端に取り付ける連結物を接続する取り付け具であって、カールコードの捩れを効果的に防ぎ、使用上の利便性を向上するだけでなく、カールコードの使用寿命を大幅に延長する、カールコードの取り付け具に関する。
【背景技術】
【０００２】
カールコードは伸縮性と巻き戻り性という特性を備えているため、文具や装飾物、鍵、携帯電話等の物品に接続し幅広く使用されている。そのうち、図１に示すように、従来のカールコードに筆記具を接続した使用状態においては、カールコード１０の両端の接続ユニット１１、１２にそれぞれクリップ１３と筆記具１４を固定し、使用時には、クリップ１３が固定端となり（このクリップは通常ペン台座や筆記ボード、衣服ポケット等に固定される）、使用者は筆記具１４を使って筆記を行い、使用後は筆記具１４を元の位置へ戻す。実際の使用時には、このカールコード１０が伸縮性と巻き戻り性の特性のため、複数回使用するとカールコードによじれが生じ、絡み合って一塊になり外観上の美感に影響するだけでなく、使用上においても非常に不便である。また、カールコード１０が長時間捩れた状態が続くと、カールコードの内応力が失われ、弾性が乏しくなり、カールコード１０の寿命が短くなってしまう。このため、前掲の欠点に鑑みて改良が必要とされている。
【考案の開示】
【考案が解決しようとする課題】
【０００３】
本考案の主な目的は、カールコードが接続ユニットと回転部材を介して連結物と接続され、且つ、接続ユニットと回転部材は相対的に回動することができ、この構造的特徴を利用し、連結物を使用後元の場所に戻して置く際、カールコードがねじれたり、不適切によじれたりすると、カールコードの内応力が接続ユニットを回転部材に対して回動させ、且つ、カールコードに元の正常な状態を回復させる、カールコードの取り付け具を提供することにある。
【０００４】
本考案の別の目的は、カールコードの使用時によじれや絡みが発生しないため、カールコードの内応力が減失せず、カールコードの長期間の使用において元の弾力と撓性が保持され、同時に弾性が乏しくなるのを回避し、その使用寿命を延長することができる、カールコードの取り付け具を提供することにある。
【課題を解決するための手段】
【０００５】
本考案のカールコードの取り付け具は、カールコード、接続ユニット、回転部材から構成され、そのうち、カールコードはプラスチック成型の螺旋状巻き体であり、接続ユニットのカールコードの連結端は略筒型体を呈し、この筒型体の内側面に複数の環状突起を設け、カールコードに対応して接合され、別の一端に突出部を連続して設け、その上端に中心軸孔を形成し、さらに、突出部の底部に環状凹み槽を形成して回転部材をこの突出部の周囲に被せるように設置すると共に、回転部材の底面には位置決め突起を設け、下端には嵌合部を成型して設け、上端には連結物を接続し、嵌合部と環状凹み槽を対応させて嵌合し、相対する回動を可能にする。
【考案の効果】
【０００６】
本考案の取り付け具の構造を応用すれば、いつでもどこでもカールコードの絡みや捩れを防ぐことができ、美感を保つ視覚的効果があるだけでなく、使用上の利便性も向上される。        
【考案を実施するための最良の形態】
【０００７】
図２、図３、図４に示すように、本考案のカールコードの取り付け具は、カールコード２、接続ユニット３、回転部材４から構成され、そのうち、カールコード２はプラスチック成型の螺旋状巻き体であり、接続ユニット３のカールコード２の連結端は略筒型体を呈し、この筒型体の内側面に複数の環状突起３０を設け、この接続ユニット３の一端はカールコード２と対応して接合され、別の一端に突出部３１を連続して設け、その上端に中心軸孔３２を形成し、さらに、突出部３１の底部に環状凹み槽３３を形成して回転部材４をこの突出部３１の周囲に被せるように設置する。回転部材４の底面には位置決め突起４２を設け、下端には環状凹み槽３３と嵌合される嵌合部４３を成型して設け、上端には連結物を接続する。嵌合部４３と環状凹み槽３３を対応させて嵌合すると、相対する回動が可能となり、上述の特徴により、カールコード２と連結物を接続し、使用時にはカールコード２の内応力が接続ユニット３を動かして回転部材４に対して回動させ、且つ、カールコード２を元の正常な状態に回復し、カールコード２の捩れや絡みを防止し、美感と使用上の利便性を得ることができる。
【０００８】
図５に示すように、カールコード２は、接続ユニット３に接続され、接続ユニット３が回転部材４に連結されて相対的に回動し、また回転部材４に連結可能な連結物は、筆記具５aや発光装置５ｂ、装飾物５ｃ、リモートコントローラ５ｄ、またはストラップ５eを利用して携帯電話や鍵（図未表示）とすることができ、また、別途回転部材４にはフック５ｆを連結してもよく、フック５ｆを利用して人体やその他物品上に固定し、多様な使用目的を達することができる。
【図面の簡単な説明】
【０００９】
【図１】従来のカールコードの使用状態を示す立体図である。
【図２】本考案の立体分解図である。
【図３】本考案の立体外観図である。
【図４】本考案の接続ユニットと回転部材の連結部分を示す断面図である。
【図５】本考案の回転部材にさまざまな連結物を連結した状態を示す平面図である。
【符号の説明】
【００１０】
２        カールコード
３        接続ユニット
３０      環状突起
３１      突出部
３２      中心軸孔
３３      環状凹み槽
４        回転部材
４２      位置決め突起
４３      嵌合部
５a      筆記具
５ｂ      発光装置
５ｃ      装飾物
５ｄ      リモートコントローラ
５e      ストラップ
５ｆ      フック
【図１】
0003111257.tif 000003
【図２】
0003111257.tif 000004
【図３】
0003111257.tif 000005
【図４】
0003111257.tif 000006
【図５】
0003111257.tif 000007